(57)【要約】【課題】  充填時の内容物を所望の位置へ誘導させ、多室型パウチ容器、特に分岐型パウチ容器の主室への内容物の充填時における副室の易剥離性シール部の剥離を防止し、さらに主室と副室の内容物の混合を容易に行うことができる注出具及び該注出具付き多室型パウチ容器を提供する。【解決手段】  充填時の内容物を所望の位置へ誘導する誘導部材を設けたことを特徴とする注出具。【選択図】図１
2008110792.tif 000002
【特許請求の範囲】
【請求項１】
充填時の内容物を所望の位置へ誘導する誘導部材を設けたことを特徴とする注出具。
【請求項２】
前記誘導部材が円弧状、板状である請求項１記載の注出具。
【請求項３】
前記請求項１又は２記載の注出具を装着した多室型パウチ容器。
【請求項４】
前記多室型パウチ容器が分岐型多室パウチであって、誘導部材を副室側に位置させた請求項３記載の注出具付き多室型パウチ容器。
【請求項５】
前記誘導部材の下端を、主室と副室との分岐部近傍に位置させた請求項４に記載の注出具付き多室型パウチ容器。
【発明の詳細な説明】
【技術分野】
【０００１】
本発明は、充填時の内容物を所望の位置へ誘導する誘導部材を設けた注出具及び該注出具を備えた多室型パウチ容器に関する。
【背景技術】
【０００２】
従来、飲料、ゼリー状の飲料或いは輸液等を充填したパウチにおいて、高機能性が市場で求められている。そこで、濃縮液や粉体といった高機能性成分と、水等の溶解液を分けて収納して高機能性を維持した状態とし、これを使用時に混合する複数の室を有するパウチ容器が提案されている。
【０００３】
従来、このようなパウチ容器として、それぞれの各室に液及び粉体を充填し、各室を易剥離性シール部で分離させ、使用時に易剥離性シール部を剥離し、内容物を混合させて注出する多室型パウチ容器が提案されている（特許文献１参照）。
また、他の形態の多室型パウチ容器として、パウチ本体の頂部より下方の位置に側壁の少なくとも１個所を外側に伸張させて分岐した副室を形成し、分岐部よりやや副室側には、副室とパウチ本体とを隔離する易剥離シール仕切部を配置した分岐型パウチ容器が提案されている。（特許文献２参照）
さらに、パウチ容器として、内容物を注出具から吸引する際に容器が萎み、吸引が不可能となることから、ストローを備えた容器（特許文献３参照）、或いは、容器に充填した食品を吸引口まで導出する流路を確保するサクションピラーを設けたパウチ容器も提案されている（特許文献４参照）。
【０００４】
【特許文献１】特開２００６−２７６５３号公報
【特許文献２】特開２００３−１６０１７６号公報
【特許文献３】特願平１０−１２９７８２号公報
【特許文献４】特開２００１−１８０６９９号公報
【発明の開示】
【発明が解決しようとする課題】
【０００５】
しかしながら、多室型パウチ容器、特に分岐型パウチ容器においては、パウチ本体に装着した注出具から主室に内容物を充填する際、充填時の内容物（充填液等）の圧力によって、パウチ本体と副室を隔離する易剥離性シール仕切部を剥離させてしまう問題がある。
また、前述したように、内容物を容易に吸引するための手段として、注出具からストローを装着して吸引することや、注出具にサクションピラーを取り付けることが提案されているが、これらを、前述した分岐型パウチ容器に採用した場合には、誤って副室に挿入してしまう恐れがあり、また、前記サクションピラーを採用した場合は、主室と副室の内容物の混合を阻害する、といった問題が派生する。
【０００６】
従って本発明の目的は、充填時の内容物を所望の位置へ誘導させることであり、多室型パウチ容器、特に分岐型パウチ容器の主室への内容物の充填時における副室の易剥離性シール部の剥離を防止し、さらに主室と副室の内容物の混合を容易に行うことができる注出具及び該注出具付き多室型パウチ容器を提供する。
また、本発明の他の目的は、注出具の他の部材としてストロー等を採用した場合は、特に分岐型パウチ容器において副室に誤って挿入されるのを防止することができる注出具及び該注出具付き多室型パウチ容器を提供する。
【課題を解決するための手段】
【０００７】
本発明によれば、かかる上記課題を解決すべく、
１．本発明は、充填時の内容物を所望の位置へ誘導する誘導部材を設けたことを特徴とする注出具。
２．前記誘導部材が円弧状、板状である注出具。
３．前記１又は２記載の注出具を装着した多室型パウチ容器。
４．前記多室型パウチ容器が分岐型多室パウチであって、誘導部材を副室側に位置させた注出具付き多室型パウチ容器。
５．前記誘導部材の下端を副室近傍に位置させた４に記載の注出具付き多室型パウチ容器を提供する。
【発明の効果】
【０００８】
本発明の注出具によれば、多室型パウチ容器の主室への内容物（充填液）の充填時の圧力にて、主室と副室を隔離する易剥離性シール部の剥離が防止される。また、多室型パウチ容器、特に分岐型パウチ容器においては、主室と副室の内容物の混合を容易に行うことができると共に、ストロー等の外部材を採用する場合には、分岐型パウチ容器の副室に挿入されることが防止される。
【発明を実施するための最良の形態】
【０００９】
本発明の注出具は、内容物の充填時に、内容物を多室型パウチ容器の主室の所望の位置へ誘導させる機能を有する誘導部材を設けている。
誘導部材の形成位置は、後述するように、パウチ容器に装着する際に接合となる注出具の接合部に少なくとも一方の外側面から下方に向かって形成することが好ましい。
【００１０】
注出具の誘導部材の長さは、多室型パウチ容器、特に分岐型パウチ容器に採用する場合は、前記誘導部材の下端を、主室と副室との分岐部近傍に位置させることにより、注出具を分岐型パウチ容器に装着する際に、前記誘導部材が副室に挿入されることが防止され、また、主室と副室の内容物を混合が容易になる点で好ましい。
【００１１】
誘導部材の形状については、円弧状、板状が挙げられ、特に円弧状が、内容物を確実に多室パウチの主室内に誘導する点で好ましい。また、誘導部材の形状は、注出具から充填される内容物が、多室型パウチ、特に分岐型パウチ容器の主室の所望の位置に誘導されれば上記形状に限定されるものではない。
【００１２】
多室型パウチにおいて、分岐型パウチ容器は、パウチ本体の頂部より下方の位置に側壁の少なくとも１個所を外側に伸張させて分岐した副室を形成し、分岐部よりやや副室側には副室とパウチ本体とを隔離するパウチ容器の開口方向に対し垂直な位置関係にある易剥離性シール部を配置したパウチ容器である。
【００１３】
多室型パウチ容器に使われるフイルム材料としては、ポリエステル、ポリプロピレン、ポリエチレン、ポリスチレン、ポリ塩化ビニル、延伸ナイロン等の単層または多層フイルム、或いは、アルミホイルとのラミネートフイルムが用いられる。
【００１４】
次に、図面にて本発明の注出具及び該注出具を備えた分岐型パウチ容器を具体的に説明する。
図１は、本発明の注出具を示し、図２は、本発明の注出具にストローを挿入した状態を示す。
【００１５】
本発明の注出具１は、図１に示すように、プラスチックキャップなどを係合する係合部３に、後述する分岐型パウチ容器の開口部に接合部２を有し、前記接合部３の片側側面から誘導部材４が形成されている。また、注出具１の係合部２及び接合部３に亘って内容物を充填し、かつ、内容物を注出する注出口５が設けられている。
【００１６】
また、本発明の注出具は、図２に示すように、ストロー６を使用して内容物を吸引する際は、注出具１の注出口５に、ストロー６を挿入して内容物の吸引を可能とすることができる。
【００１７】
図３は、本発明の注出具１を分岐型パウチ容器に取り付けた状態の断面図を示し、分岐型パウチ容器１０は、主室１１及びその頂部より下方の位置の側壁から外側に分岐した一つの副室１２を形成し、主室１１と副室１２を隔離する易剥離性シール部１３からなり、例えば、主室１１には水等の水溶液１５、副室１２には粉体等からなる高機能性成分１４が充填される。
そして、注出具１の接合部２を、分岐型パウチ容器１０の上方の開口部にヒートシールすることによって、注出具１が分岐型パウチ容器１０に装着される。
【００１８】
その際、分岐型パウチ容器１０の副室１２に、前記注出具１の誘導部材４を位置させて注出具１を分岐型パウチ容器１０に装着することにより、注出具１の注出口５から内容物を充填する際に、分岐型パウチ容器１０の主室１１と副室１２を隔離する易剥離性シール部１３の剥離が防止される。
また、注出具１にストロー６を装着する際は、注出具１の誘導部材４によって分岐型パウチ容器１０の副室１２に誤って挿入されることが防止される。
さらに、前記注出具１の誘導部材４の下端を、分岐型パウチ容器１０の主室１１と副室１２との分岐部１６に位置させることにより、注出具を分岐型パウチ容器に装着する際に、誤って前記誘導部材が副室に挿入されることが防止されると共に、主室と副室の内容物の混合が容易に行われる。
【００１９】
そして、使用時には、先ず、分岐型パウチ容器の易剥離性シール部１３を剥離して、主室１１及び副室１２の内容物を混合し、次いで、図示しないが注出具１の係合部３に係合されているプラスチックキャップ等を取り外し、そのまま混合された内容物を注出するか、或いはストローを挿入して混合された内容物を吸引する。
【００２０】
図４は、本発明の注出具１を、分岐型パウチ容器２０に取り付けた他の例の断面図を示し、前述した副室１２を複数（２つ）形成したものである。他の構成は、図３に示した例と同様である。
【００２１】
図５は、本発明の他の注出具を示し、前述した図１に示した注出具１の誘導部材の先端部を湾曲させたものであり、他の構成は前述した注出具と同様である。
この注出具３０は、例えば、前述した特許文献１に示される形態の多室容器に用いられ、注出具１に変えて採用することにより、内容物の充填時に、内容物の圧力によって弱シール部１３が剥離されることが防止される。
【図面の簡単な説明】
【００２２】
【図１】本発明の注出具を示す参考図である。
【図２】本発明の注出具にストローを挿入した状態を示す参考図である。
【図３】本発明の注出具を備えた分岐型パウチ容器の参考断面図である。
【図４】本発明の注出具を複数備えた他の分岐型パウチ容器の参考断面図である。
【図５】本発明の注出具の他の例を示す参考図である。
【符号の説明】
【００２３】
１  注出具
２  接合部
３  係合部
４  誘導部材
５  注出口
６  ストロー
１０  分岐型パウチ容器
１１  主室
１２  副室
１３  易剥離性シール部
１４  高機能性成分
１５  水溶液
１６  分岐部
２０  分岐型パウチ容器
３０  注出具
【図１】
2008110792.tif 000003
【図２】
2008110792.tif 000004
【図３】
2008110792.tif 000005
【図４】
2008110792.tif 000006
【図５】
2008110792.tif 000007